(57)【要約】【課題】ＨＳＤＰＡ方式の伝送効率を向上可能な移動通信システムを提供する。【解決手段】アウタループ算出部１４２では、セレクタ部１４１で選択された合成処理部からの誤り検査情報、あるいは回線処理部１１−２に接続される無線基地局からの誤り検査情報によってユーザ信号の品質情報を算出する。アウタループ算出部１４２はその算出結果を基に、最適な“移動機と無線基地局との間の送信電力制御の品質目標値”を計算し、配信処理部経由で各無線基地局に対して情報を設定する。【選択図】      図１
2004282654.tif 000002
【特許請求の範囲】
【請求項１】
移動機と特定の無線基地局との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式による通信が可能な移動通信システムであって、前記無線基地局を制御する無線基地局制御装置に、前記ＨＳＤＰＡ方式による通信を行う移動機がハンドオーバを行う際に前記特定の無線基地局で観測される誤り検査情報に基づいてユーザ信号の品質を一定値に保つように移動機と無線基地局との間の送信電力制御の品質目標値を制御するアウタループ送信電力制御を行うアウタループ処理手段を有することを特徴とする移動通信システム。
【請求項２】
前記アウタループ処理手段は、前記ＨＳＤＰＡ方式による通信で対となる上り無線信号において前記無線基地局各々から受信した誤り検査情報によって誤りのないユーザ信号が選択合成された値に基づいて前記アウタループ送信電力制御を行うことを特徴とする請求項１記載の移動通信システム。
【請求項３】
外部からの設定指示に応答して前記特定の無線基地局で観測される誤り検査情報と、前記無線基地局各々から受信した誤り検査情報に基づいて誤りのないユーザ信号が選択合成された値とのうちのいずれかを選択する選択手段を含むことを特徴とする請求項１または請求項２記載の移動通信システム。
【請求項４】
移動機と特定の無線基地局との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式による通信が可能な移動通信システムにおいて、前記無線基地局を制御する無線基地局制御装置であって、前記ＨＳＤＰＡ方式による通信を行う移動機がハンドオーバを行う際に前記特定の無線基地局で観測される誤り検査情報に基づいてユーザ信号の品質を一定値に保つように移動機と無線基地局との間の送信電力制御の品質目標値を制御するアウタループ送信電力制御を行うアウタループ処理手段を有することを特徴とする無線基地局制御装置。
【請求項５】
前記アウタループ処理手段は、前記ＨＳＤＰＡ方式による通信で対となる上り無線信号において前記無線基地局各々から受信した誤り検査情報によって誤りのないユーザ信号が選択合成された値に基づいて前記アウタループ送信電力制御を行うことを特徴とする請求項４記載の無線基地局制御装置。
【請求項６】
外部からの設定指示に応答して前記特定の無線基地局で観測される誤り検査情報と、前記無線基地局各々から受信した誤り検査情報に基づいて誤りのないユーザ信号が選択合成された値とのうちのいずれかを選択する選択手段を含むことを特徴とする請求項４または請求項５記載の無線基地局制御装置。
【請求項７】
移動機と特定の無線基地局との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式による通信が可能な移動通信システムにおいてユーザ信号の品質を一定値に保つように移動機と無線基地局との間の送信電力制御の品質目標値を制御するアウタループ電力制御方法であって、前記無線基地局を制御する無線基地局制御装置側に、前記ＨＳＤＰＡ方式による通信を行う移動機がハンドオーバを行う際に前記特定の無線基地局で観測される誤り検査情報に基づいてを前記品質目標値の制御を行うステップを有することを特徴とするアウタループ電力制御方法。
【請求項８】
前記品質目標値の制御を行うステップは、前記ＨＳＤＰＡ方式による通信で対となる上り無線信号において前記無線基地局各々から受信した誤り検査情報によって誤りのないユーザ信号が選択合成された値に基づいて前記アウタループ送信電力制御を行うことを特徴とする請求項７記載のアウタループ電力制御方法。
【請求項９】
前記品質目標値の制御を行うステップは、外部からの設定指示に応答して前記特定の無線基地局で観測される誤り検査情報と、前記無線基地局各々から受信した誤り検査情報に基づいて誤りのないユーザ信号が選択合成された値とのうちのいずれかを選択して前記品質目標値の制御を行うことを特徴とする請求項７または請求項８記載のアウタループ電力制御方法。
【発明の詳細な説明】
【０００１】
【発明の属する技術分野】
本発明は移動通信システム、無線基地局制御装置及びそれらに用いるアウタループ電力制御方法に関し、特にＣＤＭＡ（Ｃｏｄｅ  Ｄｉｖｉｓｉｏｎ  Ｍｕｌｔｉｐｌｅ  Ａｃｃｅｓｓ）方式等の移動通信システムにおけるアウタループ電力制御方法に関する。
【０００２】
【従来の技術】
従来、ＣＤＭＡ移動通信システムにおいては、図４に示すように、移動機２１と、無線基地局２２−１〜２２−ｍと、無線基地局制御装置２３と、移動通信交換局装置２４と、既存の通信ネットワーク２００とから構成されている。
【０００３】
ＣＤＭＡ移動通信システムでは、ハンドオーバ時に、移動機２１からの無線信号を複数の無線基地局２２−１〜２２−ｍで受信することができ、ユーザ信号は無線基地局制御装置２３にて合成され、移動通信交換局２４を経由して既存の通信ネットワーク２００へと送信される。
【０００４】
また、同様に、移動機２１方向への信号に関しては、無線基地局制御装置２３にて無線基地局２２−１〜２２−ｍに配信され、各無線基地局２２−１〜２２−ｍからの信号は移動機２１にて合成される。
【０００５】
この無線基地局制御装置２３におけるユーザ信号合成・配信部は、図５に示すように、回線処理部３１−１〜３１−ｎと、合成処理部３２と、配信処理部３３と、アウタループ処理部３４とから構成されている。
【０００６】
このユーザ信号合成・配信部３において、各無線基地局２２−１〜２２−ｍから回線３０１経由で受信された信号は回線処理部３１−１〜３１−ｎを経由して合成処理部３２に入力されている。
【０００７】
無線基地局２２−１〜２２−ｍと無線基地局制御装置２３との間の信号フォーマットは、図６に示すように、ユーザ信号Ａ１と制御信号Ａ２とからなっており、ユーザ信号Ａ１の他に無線基地局２２−１〜２２−ｍと無線基地局制御装置２３との間で使用される制御信号Ａ２が含まれている。
【０００８】
さらに、制御信号Ａ２の中には、無線基地局２２−１〜２２−ｍが移動機２１から当該ユーザ信号Ａ１を受信し、復調した際の誤り検査情報が含まれている。
図４における合成処理部３２では、各無線基地局２２−１〜２２−ｍより受信した誤り検査情報に基づいて、誤りのないユーザ信号が選択合成され、回線３０２を経由して移動通信交換局２４へと送信されている。
【０００９】
全ての無線基地局２２−１〜２２−ｍからの受信信号が誤っていた場合には、合成処理部３２からアウタループ処理部３４に制御信号が送信される。アウタループ処理部３４では一定時間内の誤り率が、サービス毎に定められたある一定値を満たすように、移動機２１と無線基地局２２−１〜２２−ｍとの間の送信電力制御の品質目標値が計算される。
【００１０】
一方、移動機２１向けのユーザ信号は、回線３０２経由で移動通信交換局２４から受信し、配信処理部３３にて配信され、回線処理部３１−１〜３１−ｎを経由し、各無線基地局２２−１〜２２−ｍに送信される。また、アウタループ処理部３４が算出した、“移動機と無線基地局との間の送信電力制御の品質目標値”も、同様に、配信処理部３３へと転送され、各無線基地局２２−１〜２２−ｍに配信されている。
【００１１】
このように、ユーザ信号の品質を一定値に保つよう“移動機と無線基地局との間の送信電力制御の品質目標値”を制御することを、アウタループ送信電力制御と称している（例えば、特許文献１参照）。
【００１２】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）移動通信システムでは、高速なインタネットアクセス手段として、無線基地局から移動機の方向に、ＨＳＤＰＡ（Ｈｉｇｈ  ＳｐｅｅｄＤｏｗｎｌｉｎｋ  Ｐａｃｋｅｔ  Ａｃｃｅｓｓ）方式と呼ばれるパケット伝送方式が採用されている。
【００１３】
ＨＳＤＰＡ方式は無線基地局から移動機の方向への信号伝送にのみ適用され、移動機から無線基地局の方向への信号伝送は、既存のＷ−ＣＤＭＡ信号伝送手段と同様のものが用いられている。また、音声通信とパケット通信とを同時に行うマルチコールでは、音声通信と移動機→無線基地局装置方向へのパケット通信とが既存の信号伝送手段で行われ、無線基地局→移動機方向へのパケット通信のみＨＳＤＰＡ方式にて行われる。
【００１４】
音声通信とＨＳＤＰＡ方式によるパケット通信とを行っている移動機がハンドオーバを実施している状態を図７に示す。図７において、音声通信と移動機→無線基地局方向へのパケット信号伝送とは、既存のＷ−ＣＤＭＡ信号伝送手段２３１〜２３ｍ，２１１〜２１ｍにて行われ、移動機２１と無線基地局制御装置２３との間は複数のパスにて通信が行われる。
【００１５】
一方、ＨＳＤＰＡ方式では信号伝送が単一の無線基地局２２−１〜２２−ｍからしか行われない。ＨＳＤＰＡ方式による信号伝送を２４１，２４２で表している。また、移動機２１と無線基地局２２−１〜２２−ｍとの間では、ＨＳＤＰＡ伝送に関する制御信号２２１を高速に授受している。
【００１６】
制御信号の内容としては、無線基地局２２−１〜２２−ｍから移動機２１の方向へは、ＨＳＤＰＡ伝送の有無、拡散コード情報等が送信され、移動機２１から無線基地局２２−１〜２２−ｍの方向へは、無線回線の品質情報やユーザ信号の送達確認情報が送信される。
【００１７】
【特許文献１】
特開２００１−２１７７７０号公報（第８〜１１頁、図１）
【００１８】
【発明が解決しようとする課題】
上述した従来のアウタループ電力制御方法では、図７に示すように、ＨＳＤＰＡ方式に、図４に示すアウタループ送信電力制御を適用した場合、ＨＳＤＰＡ伝送が無線基地局２２−２でのみ送受信されるのに対し、ユーザ信号の品質は各無線基地局２２−１〜２２−ｍの選択合成後の結果として算出されるため、ＨＳＤＰＡ制御信号の受信品質が劣化するという問題がある。
【００１９】
例えば、無線基地局２２−１の受信品質がよい場合には、無線基地局制御装置２３がアウタループ送信電力制御にて無線基地局２２−１〜２２−ｍの“移動機と無線基地局との間の送信電力制御の品質目標値”を低くしようとするが、ＨＳＤＰＡ制御信号２２１が無線基地局２２−２でしか受信されないため、受信品質が劣化してしまう。
【００２０】
また、従来のアウタループ電力制御方法では、ＨＳＤＰＡ制御信号の受信品質劣化を防ぐべく、当該制御信号にのみ電力値を増大させておくことも可能だが、その電力値の増大による干渉量の増大に伴うキャパシティの劣化等の問題が考えられる。
【００２１】
そこで、本発明の目的は上記の問題点を解消し、ＨＳＤＰＡ方式の伝送効率を向上させることができる移動通信システム、無線基地局制御装置及びそれらに用いるアウタループ電力制御方法を提供することにある。
【００２２】
【課題を解決するための手段】
本発明による移動通信システムは、移動機と特定の無線基地局との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式による通信が可能な移動通信システムであって、前記無線基地局を制御する無線基地局制御装置に、前記ＨＳＤＰＡ方式による通信を行う移動機がハンドオーバを行う際に前記特定の無線基地局で観測される誤り検査情報に基づいてユーザ信号の品質を一定値に保つように移動機と無線基地局との間の送信電力制御の品質目標値を制御するアウタループ送信電力制御を行うアウタループ処理手段を備えている。
【００２３】
本発明による無線基地局制御装置は、移動機と特定の無線基地局との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式による通信が可能な移動通信システムにおいて、前記無線基地局を制御する無線基地局制御装置であって、前記ＨＳＤＰＡ方式による通信を行う移動機がハンドオーバを行う際に前記特定の無線基地局で観測される誤り検査情報に基づいてユーザ信号の品質を一定値に保つように移動機と無線基地局との間の送信電力制御の品質目標値を制御するアウタループ送信電力制御を行うアウタループ処理手段を備えている。
【００２４】
本発明によるアウタループ電力制御方法は、移動機と特定の無線基地局との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式による通信が可能な移動通信システムにおいてユーザ信号の品質を一定値に保つように移動機と無線基地局との間の送信電力制御の品質目標値を制御するアウタループ電力制御方法であって、前記無線基地局を制御する無線基地局制御装置側に、前記ＨＳＤＰＡ方式による通信を行う移動機がハンドオーバを行う際に前記特定の無線基地局で観測される誤り検査情報に基づいてを前記品質目標値の制御を行うステップを備えている。
【００２５】
すなわち、本発明の移動通信システムは、ＨＳＤＰＡ（Ｈｉｇｈ  ＳｐｅｅｄＤｏｗｎｌｉｎｋ  Ｐａｃｋｅｔ  Ａｃｃｅｓｓ）方式による通信を行う移動機がハンドオーバを行う際に、ＨＳＤＰＡ方式による伝送を行っている無線基地局で観測する誤り検査情報に基づいてアウタループ送信電力制御を行うことを特徴とする。
【００２６】
これによって、本発明の移動通信システムでは、ＨＳＤＰＡ方式の無線制御信号に必要な電力を確保することが可能となり、ＨＳＤＰＡ方式の伝送効率を向上させることが可能となる。また、本発明の移動通信システムでは、ＨＳＤＰＡ制御信号のみ電力を多めに設定することが不要となり、干渉量の抑止によるキャパシティの向上が期待される。
【００２７】
【発明の実施の形態】
次に、本発明の実施例について図面を参照して説明する。図１は本発明の一実施例による無線基地局制御装置内のユーザ信号合成・配信部の構成を示すブロック図である。図１において、ユーザ信号合成・配信部１は回線処理部１１−１〜１１−ｎと、合成処理部１２と、配信処理部１３と、アウタループ処理部１４とから構成されている。
【００２８】
図示せぬ各無線基地局からのユーザ信号に多重された制御信号は回線処理部１１−１〜１１−ｎで処理され、制御信号１１１〜１１ｎとしてアウタループ処理部１４に入力される。
【００２９】
図２は図１のアウタループ処理部１４の構成を示すブロック図である。図２において、アウタループ処理部１４はセレクタ部１４１と、アウタループ算出部１４２とから構成されている。
【００３０】
アウタループ処理部１４において、回線処理部１１−１〜１１−ｎからの制御信号１１１〜１１ｎと合成処理部１２からの制御信号１２０はセレクタ部１４１に入力されている。
【００３１】
セレクタ部１４１は無線基地局制御装置内の中央処理制御部（図示せず）からの設定１３０によって制御信号１１１〜１１ｎ，１２０の中から一つを選択し、アウタループ算出部１４２へ送出する。アウタループ算出部１４２は入力された制御信号からユーザ信号の品質目標値を算出し、その計算結果を配信処理部１３に出力する。
【００３２】
図３は図２のアウタループ処理部１４のアウタループ送信電力制御の動作を示すフローチャートである。これら図１〜図３を参照してアウタループ処理部１４のアウタループ送信電力制御の動作について説明する。
【００３３】
ハンドオーバ中の移動機（図示せず）からの信号は各無線基地局から回線１０１経由で無線基地局制御装置内のユーザ信号合成・配信部１に入力される。各無線基地局からのユーザ信号には、図６に示すように、無線基地局と無線基地局制御装置との間で使用される制御信号が多重されている。
【００３４】
制御信号の内容の一つである誤り検査情報は回線処理部１１−１〜１１−ｎで抽出され、制御信号１１１〜１１ｎとしてアウタループ処理部１４に入力される。また、アウタループ処理部１４には合成処理部１２で合成された誤り検査情報１２０が入力されている。
【００３５】
以下の説明では、回線処理部１１−１，１１−２，１１−ｎにそれぞれ接続される３台の無線基地局（図示せず）によるハンドオーバのケースを想定して説明する。
【００３６】
まず、移動機と無線基地局との間の通信にＨＳＤＰＡ方式が使用されていない場合について説明する。この場合には、既存のＣＤＭＡ（Ｃｏｄｅ  Ｄｉｖｉｓｉｏｎ  Ｍｕｌｔｉｐｌｅ  Ａｃｃｅｓｓ）移動通信システムと同様に、合成後の誤り検査情報に基づいてアウタループ送信電力制御を実施すればよい。
【００３７】
この時、無線基地局制御装置内の中央処理制御部はアウタループ処理部１４内のセレクタ部１４１に対して合成処理部１２からの誤り検査情報１２０に基づいてアウタループ送信電力制御を実行するように設定（ＨＳＤＰＡ非使用）を行う。
【００３８】
アウタループ算出部１４２では、セレクタ部１４１で選択された合成処理部１２からの誤り検査情報によってユーザ信号の品質情報を算出し（図３ステップＳ１〜Ｓ３）、最適な“移動機と無線基地局との間の送信電力制御の品質目標値”を計算し（図３ステップＳ５）、配信処理部１３経由で各無線基地局に対して情報を設定する（図３ステップＳ６）。
【００３９】
次に、移動機と無線基地局との間でＨＳＤＰＡ方式が併用される場合について説明する。まず、回線処理部１１−２に接続される無線基地局と移動機との間でＨＳＤＰＡ方式によるパケット通信が行われているものとする。
【００４０】
この時、無線基地局制御装置内の中央処理制御部はアウタループ処理部１４内のセレクタ部１４１に対して回線処理部１１−２からの誤り検査情報１２０に基づいてアウタループ送信電力制御を実行するように設定（ＨＳＤＰＡ使用）を行う。
【００４１】
ちなみに、どの無線基地局と移動機との間でＨＳＤＰＡ方式の通信が行われているかは、すべて無線基地局制御装置内の中央処理制御部にて制御が行われているため、無線基地局制御装置内の中央処理制御部にとっては既知の情報である。
【００４２】
アウタループ算出部１４２ではセレクタ部１４１で選択された回線処理部１１−２に接続される無線基地局からの誤り検査情報に基づいてユーザ信号の品質情報を算出し（図３ステップＳ１，Ｓ２，Ｓ４）、最適な“移動機と無線基地局との間の送信電力制御の品質目標値”を計算し（図３ステップＳ５）、配信処理部１３経由で各無線基地局に対して情報を設定する（図３ステップＳ６）。
【００４３】
このように、本実施例では、ハンドオーバ中においても、ＨＳＤＰＡ方式による通信を行っている無線基地局からの誤り検査情報のみに基づいてアウタループ送信電力制御を行うため、ＨＳＤＰＡ方式の無線制御信号に必要な電力を確保することが可能となり、ＨＳＤＰＡ方式の伝送効率を向上させることができる。また、ＨＳＤＰＡ制御信号にのみ電力を多めに設定することが不要となり、干渉量の抑止によるキャパシティの向上が期待される。
【００４４】
【発明の効果】
以上説明したように本発明は、上記のような構成及び動作とすることで、ＨＳＤＰＡ方式の伝送効率を向上させることができるという効果が得られる。
【図面の簡単な説明】
【図１】本発明の一実施例による無線基地局制御装置内のユーザ信号合成・配信部の構成を示すブロック図である。
【図２】図１のアウタループ処理部の構成を示すブロック図である。
【図３】図２のアウタループ処理部のアウタループ送信電力制御の動作を示すフローチャートである。
【図４】従来のＣＤＭＡ移動通信システムの構成を示すブロック図である。
【図５】従来のユーザ信号合成・配信部の構成を示すブロック図である。
【図６】無線基地局と無線基地局制御装置との間の信号フォーマットを示す図である。
【図７】ＨＳＤＰＡ方式による通信の概略を示す図である。
【符号の説明】
１  ユーザ信号合成・配信部
１１−１〜１１−ｎ  回線処理部
１２  合成処理部
１３  配信処理部
１４  アウタループ処理部
１１１〜１１ｎ，１２０  制御信号
１４１  セレクタ部
１４２  アウタループ算出部
【図１】
2004282654.tif 000003
【図２】
2004282654.tif 000004
【図３】
2004282654.tif 000005
【図４】
2004282654.tif 000006
【図５】
2004282654.tif 000007
【図６】
2004282654.tif 000008
【図７】
2004282654.tif 000009